(57)【要約】【課題】  屋根下葺シート材の固定に使われているつづら針やハンマータッカー等の打ち込み器具を変更せず、優れた透湿性および防水性、特につづら針部分の防水性を示し、そして施工の効率を低下させない又は向上させる屋根下葺シート材を提供する。【解決手段】  本発明にかかる屋根下葺シート材は、下地板上に対する貼り付け層を構成する不織布シート材からなる第１のシート層と、この上記第１のシート層上の全面に亘って接着層を介して積層される防水シート材からなる第２のシート層を有する屋根下葺シート材において、この屋根下葺シート材の長手方向の少なくとも一方の側縁側近傍の上記第１のシート層と第２のシート層との間を非接着部としてなるものである。【選択図】  図１
2013064304.tif 000002
【特許請求の範囲】
【請求項１】
下地板上に対する貼り付け層を構成する不織布シート材からなる第１のシート層と、
この上記第１のシート層上の全面に亘って接着層を介して積層される防水シート材からなる第２のシート層を有し、
この屋根下葺シート材の長手方向の少なくとも一方の側縁側近傍の上記第１のシート層と第２のシート層との間を非接着部としてなる屋根下葺シート材。
【請求項２】
上記防水シート材からなる第２のシート層の長手方向中央部に切り込み部を設け、この切り込み部近傍の第１のシート層との対向面に非接着部を設けてなる請求項１記載の屋根下葺シート材。
【請求項３】
上記第２のシート層の非接着部と対向する位置に低粘着剤を塗布してなる請求項１又は請求項２記載の屋根下葺シート材。
【請求項４】
下地板上に対する貼り付け層を構成する不織布シート材からなる第１のシート層と、
この上記第１のシート層上の全面に亘って低粘着剤からなる低粘着層を介して積層される防水シート材からなる第２のシート層を有する屋根下葺シート材。
【発明の詳細な説明】
【技術分野】
【０００１】
本発明は木造家屋等の建築物の屋根構造において、漏水防止等を図るための、屋根の下地材上に貼り付けられる屋根下葺シート材に関する。
【背景技術】
【０００２】
木造家屋等の屋根構造１００は、一般に図９に示すように、棟木と敷桁間に多数本の垂木１０１が互いに所定の間隔を以って架け渡し状態で支持されるとともに、これら垂木１０１上に構造用合板等を用いた野地板を張って下地板１０２を構成する。屋根構造１００は、下地板１０２の表面上に下葺シート材１０３を全面に亘って張り付けるとともに、この下葺シート材１０３上からリング釘１０５を打ち付けて桟木１０４を所定の間隔を以って固定する。屋根構造１００は、瓦１０６をそれぞれ引っ掛け爪を桟木１０４に掛け合わせるようにして下方から順に葺くことにより構成する。
【０００３】
屋根構造１００においては、下葺シート材１０３として、原紙にストレートアスファルトを浸透させて両面をコーティングしたアスファルト系シートや、合成樹脂系シート或いは樹皮等の天然素材系シートが従来一般に用いられている。下葺シート材１０３は、もっぱら瓦１０６の隙間や亀裂等から浸入する雨水等の屋内への漏れを防止する二次防水材として上述したように下地板１０２上に張り付けられることから、確実な防水性が要求される。
【０００４】
ところで、木造家屋等においては、防音・断熱特性及び防水性を有して外部から浸入する雨水等を遮断する外壁材として透湿性を有するものも提供され、かかる外装材を用いることにより密閉性の向上が図られた屋内に生じる湿気を外部へと効率的に排出してかびや結露等の発生が抑制されるようになる。木造家屋等においては、かかる外装材を用いて外装を構成しても、上述した防水性を主体としたアスファルト系シートや合成樹脂系シートの下葺シート材１０３を用いた屋根構造１００により、屋内に生じた湿気がもっぱら天井裏等に籠もって結露によるかびの発生や構成部材のくさり等を確実に解消することができなかった。
【０００５】
したがって、下葺シート材としては、雨水等を遮断する防水性や水密性とともに、屋内に生じた湿気を外部へと放出する透湿性を有することも要求されるようになっている。
【０００６】
また、下葺シート材は、野地板上に張り付けた後に釘打ちにより固定されるために釘孔の防水性も要求されるとともに、瓦葺き作業等に際して作業員の足の滑りを抑制して安全性が確保されるように防滑性も要求される。下葺ート材としては、上述した問題を解決するものとして、例えば特許文献１に示す多層の下葺シート材や特許文献２に示す下葺シート材の施工方法が提案されている。
【０００７】
【特許文献１】特開２００８−１９０２１７号公報
【特許文献２】特開２００２−２９４９４１号公報
【発明の概要】
【発明が解決しようとする課題】
【０００８】
しかしながら、特許文献１における下地材への下葺シート材の貼り付けにおいては、この下葺シート材の下地材への貼り付けに用いられるつづら針の水密シール性は、つづら針が理想的な状態で打ち込まれているときにのみ、発現しており、実際の施工場所では、一般的にはハンマータッカーと呼ばれるつづら針打ち込み器具で傾斜面で下葺き材を固定すると、充分な水密シール性が発現しておらず、更に下葺き材の固定時や上葺き材の施工時に、下葺き材表面を作業者が歩行した際に、つづら針の穴が大きくなり、水密シール性を低下させていることが問題にされている。
【０００９】
そのため、つづら針を使用せず固定するため、下葺シート材の裏面に粘着層を設けたタイプや下葺シート材を接着剤などで固定する方法が提案されているが、従来のつづら針の固定と比較すると、作業効率が著しく低下してしまい、一般的になっていない。また、透湿性を有した下葺シート材にとっては、粘着や接着層で透湿性が低下してしまい、この改善方法を使用することが難しいのが、現状である。
【００１０】
また、特許文献２に示すようにつづら針による接合面を覆うように重ねて下葺シート材を敷設する施工方法も提案されているが、下葺シート材を重ねて敷設することは、下葺シート材により下地材を覆うことのできる面積を減少せしめ不経済でありコストアップにつながるものである。
【００１１】
そこで、本発明は、下葺シート材の固定に使われているつづら針やハンマータッカー等の打ち込み器具を変更せず、優れた透湿性および防水性、特につづら針部分の水密シール性を示し、そして施工の効率を低下させない又は向上させる、屋根下葺シート材を提供することを目的とする。
【課題を解決するための手段】
【００１２】
上記課題を解決するために本発明者らは鋭意検討し、本発明の完成に至った。
すなわち、本発明は、下地板上に対する貼り付け層を構成する不織布シート材からなる第１のシート層と、この上記第１のシート層上の全面に亘って接着層を介して積層される防水シート材からなる第２のシート層を有し、この屋根下葺シート材の長手方向の少なくとも一方の側縁側近傍の上記第１のシート層と第２のシート層との間を非接着部としてなる屋根下葺シート材である。
【００１３】
なお、上記防水シート材からなる第２のシート層の長手方向中央部に切り込み部を設け、この切り込み部近傍の第１のシート層との対向面に非接着部を設けても良い。
【００１４】
また、上記第２のシート層の非接着部と対向する位置に低粘着剤を塗布して、非接着部における防水シート材が不織布シート材に対し繰り返し仮接合されるようにしても良い。
【００１５】
本発明は、下地板上に対する貼り付け層を構成する不織布シート材からなる第１のシート層と、この上記第１のシート層上の全面に亘って低粘着剤からなる低粘着層を介して積層される防水シート材からなる第２のシート層を有する屋根下葺シート材となし、不織布シート材と防水シート材の接合が全面に亘り仮接合によるものとしても良い。
【発明の効果】
【００１６】
本発明に係る屋根下葺シート材によれば、下地板への貼り付けにおいて、この屋根下葺シート材を野地板等の下地板上に敷設した後、防水シート材の非接着部を折り曲げ、不織布シート材の表面を臨ませ、この不織布シート材の表面上から、ハンマータッカー等でつづら針を打ち込み下地板との接合を行う。
【００１７】
その後、防水シート材を元に戻し、つづら針表面をこの防水シート材で覆う。
【００１８】
このようにつづら針表面が防水シート材に覆われることにより、つづら針により生じた孔を塞ぐことができるので、例えつづら針の打ちそんじや施工時の負荷によりつづら針により生じた孔ができたとしても、下葺シート材としての水密シール性を完全に担保することができる。
【図面の簡単な説明】
【００１９】
【図１】本発明に係る屋根下葺シート材を示す斜視図である。
【図２】本発明に係る屋根下葺シート材の要部拡大断面図である。
【図３】上記屋根下葺シート材をつづら針等で下地材に固定した状態を示す要部拡大断面図である。
【図４】本発明に係る屋根下葺シート材の第１の変形例を示す斜視図である。
【図５】本発明に係る屋根下葺シート材の第２の変形例を示す斜視図である。
【図６】本発明に係る屋根下葺シート材の第３の変形例を示す要部拡大断面図である。
【図７】本発明に係る屋根下葺シート材の第４の変形例を示す要部拡大断面図である。
【図８】本発明に係る屋根下葺シート材の第４の変形例を示す斜視図である。
【図９】屋根下葺シート材を敷き込んだ屋根の構造を示す側面図である。
【発明を実施するための最良の形態】
【００２０】
以下、本発明の実施の形態について図面を参照しながら詳細に説明する。
【００２１】
ここで実施の形態として示す屋根下葺シート材（以下、下葺シート材と略称する）１も、詳細を省略するが所定の間隔を以った垂木１０１上に野地板を張って構成した下地板１０２上に軒先側から全面に亘って順次張り付けられるものである。
【００２２】
下葺シート材１は、後述する構造に形成されることにより、瓦１０６等の隙間から浸入してこの下葺シート材１を固定するために打ち込んだ釘の釘孔から染み込む雨水等を確実に遮断する良好な防水性機能を奏するとともに、屋内に生じた湿気を屋根から外部へと放出する高透湿性機能を奏する。また、下葺シート材１は、瓦葺き作業等に際して作業員の足の滑りを抑制して安全性が確保されるようにする。
【００２３】
本発明に係る下葺シート材１は、図１及び図２に示すように、下地板１０２上に対する貼り付け層を構成する不織布シート材からなる第１のシート層２と、この上記第１のシート層２上の全面に亘って接着層３を介して積層される防水シート材からなる第２のシート層４を有する少なくとも３層構造のシート体として構成される。
【００２４】
そして、この下葺シート材１の長手方向の少なくとも一方の側縁側近傍の上記第１のシート層２と第２のシート層４との間は、接着層３を介在させることなく非接着部５としてなる。
【００２５】
この下葺シート材１は、所定幅を有する長尺のシート体であり、ロール状にして提供される。
【００２６】
下葺シート材１は、各層が後述する素材により形成されることから、現場対応にて下地板１０２上に貼り付けられてカッター等により余剰部分等を容易に切断することが可能である。
【００２７】
下葺シート材１を構成する第１のシート層２は、例えばポリプロビレン繊維、ポリエステル繊維、ＰＥＴ（ポリエチレン−テレフタレート）繊維或いは天然繊維等を素材とした通気性を有する不織布シート材が用いられて形成されている。
【００２８】
第１のシート層２は、かかる不織布シート材を素材とすることにより、下葺シート材１を比較的大きな勾配の下地板上に貼り付ける場合でも、途中での滑り落ちを低減して作業効率が保持されるようにするとともに、下地板の表面に対してなじんで変形することにより密着状態を保持して貼り付けが行われる。
【００２９】
第１のシート層２は、上述した不織布シート材を素材として形成されることにより、屋内で生じて下地板１０２を透過した湿気等を外部へと放出する良好な透湿特性を有する。
【００３０】
なお、第１のシート層２は、上述した不織布シート材を用いることに限定されないことは勿論である。第１のシート層２は、不織布シート材として所定の機械的強度を有する範囲で薄厚のものを用いたり、下葺シート材１のコストを大幅にアップさせたり取り扱い性を低下させない範囲で厚みが大きなものを用いてもよい。
【００３１】
また、本実施例においては、上記第１のシート層２は、単層構造のものとして説明するが、上記従来の特許文献１に示すように複数層の構造のものであっても良い。
【００３２】
このような複数層の構造の第１のシート層２にすることにより、この第１のシート層２自体に予め良好な防水性と透湿性を持たせることとしても良い。
【００３３】
さらに、図示しないが、上記第１のシート層２の下面となる屋根下地板１０２との対抗面に仮止め用の粘着層を設けるようにしても良い。
【００３４】
次に、下葺シート材１は、第２のシート層４を構成する防水シート材は、例えば、上述した防水性を主体としたアスファルト系シートやその他の合成樹脂系シート等を用いて形成される。また、防水紙等の防水加工された紙でも良い。
合成樹脂系シートとしては、上記第１のシート層２を構成する不織布シート材と同等の例えばポリプロピレン繊維、ポリエステル繊維或いはＰＥＴ繊維等を素材とするものでも良い
【００３５】
また、この第２のシート層４も上述の第１のシート層２と同様に複数層構造のものとなし、第２のシート層４自体に予め良好な防水性を持たせることとしても良い。
【００３６】
下葺シート材１は、第１のシート層２と第２のシート層４を接合する接着層３が、一般にもっぱら対象物間を接合する接着剤や粘着剤或いは封止剤として用いられるホットメルト剤が用いられて、第１のシート層２上において、長手方向の一方の側縁近傍を除き、全面に亘って所定の厚みを有して積層形成される。
【００３７】
このホットメルト剤は、周知のようにポリオレフィン系等の熱可塑性樹脂を主成分として合成樹脂を混合した常温で固体相の接着剤であり、加熱することにより熱可塑性樹脂成分を溶融した状態で対象物間に塗布した後に、圧着しながら冷却して熱可塑性樹脂成分を硬化させることにより対象物間を強固に接合或いは封止する。ホットメルト剤は、その材料特性からある程度の厚みを以って形成することにより、良好な防水機能を奏する。
【００３８】
接着層３は、所定量のホットメルト剤が第１のシート層２上に供給され、その後、第２のシート層４が積層された後、加熱・圧着・冷却処理が施されて硬化することにより、第１のシート層２上に積層された第２のシート層４を接着する。接着層３は、ホットメルト剤の一部が第１のシート層２や第２のシート層４を構成する不織布シート材の内部に浸潤して繊維に絡み合って硬化される。
【００３９】
接着層３は、上述した特性を有するホットメルト剤が第１のシート層２をコーティングして防水性を付与するとともに、第１のシート層２内において不織布シート材の繊維と絡み合って透湿性を有する。接着層３は、第２のシート層４をコーティングして防水性を付与するとともに、第２のシート層４内においてもシート材の繊維と絡み合って透湿性を有する。なお、接着層３は第１のシート層２と第２のシート層４に一体化され、全体として下葺きシート材１の機械的強度を向上させる。
【００４０】
本発明は、上述の如き３層からなる下葺シート材１において、この下葺シート材１の長手方向Ａの少なくとも一方の側縁側近傍の上記第１のシート層２と第２のシート層４との間を非接着部５としてなる。
【００４１】
この非接着部５は、この下葺シート材１の幅方向の長さ１ｍに対し、約５ｃｍから１５ｃｍの幅を有して、側縁に沿って形成される。
【００４２】
従って、下葺シート材１の第２のシート層４は、一方の側縁において第１のシート層２と接着されておらず側縁から約５ｃｍから１５ｃｍの幅において折り返し、第１のシート層２の表面を臨ませることができる。
【００４３】
なお、下葺シート材１の上面となる上記第２のシート層４の上面において、非接着部５の位置を表示するため、非接着部５に対応する部分の上面を着色したり、非接着部５と接着層３との境界線と対応する位置に、折り曲げ線７（図１では点線で示す。）の線引き表示を行っても良い。
【００４４】
以上のように構成される下葺シート材１において、屋根下地板１０２への貼り付けは、次の手順により行われる。
【００４５】
先ず、下地板１０２の軒先側から棟側対し横手方向に、下葺シート材１を敷設していく。このとき、下葺シート材１の非接着部５側が棟側に位置するようになす。
【００４６】
そして、第２のシート層４の非接着部５を端部側から折り曲げ線７に沿って折り曲げ、第１のシート層２の上面２ａを臨ませる。
【００４７】
この第１のシート層２の上面２ａから、ハンマータッカー等でつづら針６を打ち込み、下葺シート材１と下地板１０２との接合を行う。
【００４８】
このとき、第１のシート層２の上面２ａに、つづら針６の打ち込み位置を表示する表示部８を予め所定間隔で記載しておき、この表示に従って、つづら針６を打ち込むようにしても良い。
【００４９】
ここで使用するつづら針６としては、一般的な工業用ステープルやステープラつづら針等が使用でき、特にその形状や材質について限定されるものではない。
【００５０】
また、つづら針６を用いた固定に使われる打ち込み器具としては、それぞれのつづら針６に対応するハンマータッカーやガンタッカー、さらに圧縮空気で打ち込むエアタッカー等が使用できる。
【００５１】
その後、第２のシート層４を元に戻し、図３に示すように、つづら針６表面をこの第２のシート層４で覆う。
【００５２】
このようにつづら針６の表面が第２のシート層４で覆われることにより、つづら針６が隠され、例え、第１のシート層２においてつづら針６と間に孔が生ずることがあるとしても、上記第２のシート層４により当該孔を塞ぐことができ、水密シール性を完全に担保することができる。
【００５３】
次に、図４に本発明に係る屋根下葺シート材の第１の変形例を示す。この図４に示される下葺シート材１０は、この下葺シート材１０の長手方向の側縁両側に上記非接着部１１、１２を設けたものである。
【００５４】
この非接着部１１、１２は、この下葺シート材1０の幅方向の長さ１ｍに対し、それぞれ約５ｃｍから１５ｃｍの幅を有して、側縁に沿って形成される。
【００５５】
さらに、図５は、本発明に係る屋根下葺シート材の第２の変形例を示すものである。この図５に示される下葺シート材２０は、この下葺シート材２０の長手方向の側縁両側に上記非接着部２１、２２を設け、さらに、この下葺シート材２０の長手方向中央部に長手方向Ａに沿って、この下葺シート２０の表面側を構成する第２のシート層４に切り込み部２３を設け、この切込み部２３の両側にも第１のシート層２と第２のシート層４との間に非接着部２４を設けたものである。
【００５６】
このように、下葺シート材２０の中央部にもつづら針６による野地板との接合部を設けることにより、より強固に下葺シート材２０を野地板に接合することができる。
【００５７】
なお、この切込み部２３から非接着部２４に雨水等が入らないようにするには、切込み部２３において第２のシート層４の両側の片を延在して重ね合わせ部２５を設け、棟側の片２３ａを上側とし、軒側の片２３ｂを下側となすようにすれば良い。
【００５８】
この第１の変形例及び第２の変形例に示すように、非接着部１１、１２、２１、２２及び２４を複数となすことにより、つづら針６による打ち込み位置を増やすことができるとともに、いずれのつづら針打ち込み位置においても、つづら針６を防水性を有する第２のシート層４により覆い、つづら針６により第１のシート層２に生じた孔を塞ぐことができ、水密シール性を担保することができる。
【００５９】
図６は、本発明に係る屋根下葺シート材の第３の変形例を示す要部拡大断面図である。この図６に示される下葺シート材３０は、第２のシート層３２において、第１のシート層３１との間で接着層３３で接着されていない非接着部と対向する位置に、低粘着剤３４を塗布してなるものである。
【００６０】
ここで用いられる低粘着剤３４としては、例えばシリコン系粘着剤、ウレタン系粘着剤、ゴム系粘着剤、アクリル系粘着剤等を用いることができる。
【００６１】
このように、上記第２のシート層３２の非接着部と対向する位置に低粘着剤３４を塗布して、非接着部における第２のシート層３２を構成する防水シート材が第１のシート層３１を構成する不織布シート材に対し繰り返し仮接合されるようにすることにより、この非接着部における水密シール性をさらに高めることができる。
【００６２】
なお、非接着部を低粘着剤を用いて仮接合により開閉可能とすることは、上記実施の態様及び各変形例で説明した下葺シート材１、１０、２０に用いても良いことはいうまでもない。
【００６３】
さらに、図７及び図８は、本発明に係る屋根下葺シート材の第４の変形例を示すものである。
【００６４】
この図７及び図８に示す下葺シート材４０は、下地板上に対する貼り付け層を構成する不織布シート材からなる第１のシート層４１と、この上記第１のシート層４１上の全面に亘って低粘着剤からなる低粘着層４２を介して積層される防水シート材からなる第２のシート層４３を有するものである。
【００６５】
ここで上記第１のシート層４１又は第２のシート層４３はいずれも防水加工を施してなるものである。
【００６６】
このように、第１のシート層４１と第２のシート層４３を低粘着剤からなる低粘着層４２により仮接合することとすれば、適宜必要範囲において、第２のシート層４３を第１のシート層４１から引き剥がし、第１のシート層４１の上面を露出させて、つづら針６を打ち込んだ後、第２のシート層４２を元に戻すことにより、つづら針６の上面を第２のシート層４２で覆うことができる。
【００６７】
よって、この第４の変形例にかかる下葺シート材４０においても、その下地板への敷設施工時において、つづら針６を第２のシート層４２によってこの下葺シート材表面から隠すことができ、つづら針６の打ち込みにより第１のシート層４１に生じる孔を確実に閉塞することができる。
【符号の説明】
【００６８】
１  下葺シート材、２  第１のシート層、３  接着層、４  第２のシート層、５  非接着部、６  つづら針、３４  低粘着剤
【図１】
2013064304.tif 000003
【図２】
2013064304.tif 000004
【図３】
2013064304.tif 000005
【図４】
2013064304.tif 000006
【図５】
2013064304.tif 000007
【図６】
2013064304.tif 000008
【図７】
2013064304.tif 000009
【図８】
2013064304.tif 000010
【図９】
2013064304.tif 000011
【手続補正書】
【提出日】平成23年10月5日(2011.10.5)
【手続補正１】
【補正対象書類名】明細書
【補正対象項目名】０００６
【補正方法】変更
【補正の内容】
【０００６】
また、下葺シート材は、野地板上に張り付けた後に釘打ちにより固定されるために釘孔の防水性も要求されるとともに、瓦葺き作業等に際して作業員の足の滑りを抑制して安全性が確保されるように防滑性も要求される。下葺シート材としては、上述した問題を解決するものとして、例えば特許文献１に示す多層の下葺シート材や特許文献２に示す下葺シート材の施工方法が提案されている。